(57)【要約】【課題】カンキツ類の穂木より芽を安全かつ効率的に切り出すことができ、かつ使い勝手の良い、カンキツ類の芽接ぎ用ナイフを提供する。【解決手段】カンキツ類の芽接ぎ用ナイフであって、把柄部に突設固定された、刀身を備え、該刀身はその長手方向に平行な直線刃を備え、該直線刃以外にさらなる刃先を有さず、該直線刃は第１および第２の刃面を有する両刃を構成し、かつ該直線刃の全長が４ｃｍ〜６ｃｍである、上記ナイフ。【選択図】図１
0003179453.tif 000002
【実用新案登録請求の範囲】
【請求項１】
カンキツ類の芽接ぎ用ナイフであって、
把柄部に突設固定された、刀身を備え、
該刀身はその長手方向に平行な直線刃を備え、
該直線刃以外にさらなる刃先を有さず、
該直線刃は第１および第２の刃面を有する両刃を構成し、かつ
該直線刃の全長が４ｃｍ〜６ｃｍである、
上記ナイフ。
【請求項２】
直線刃の全長が５ｃｍである、請求項１に記載のナイフ。
【請求項３】
直線刃の第１および第２の刃面が、１８°〜２０°の角度で接合する、請求項１又は２に記載のナイフ。
【請求項４】
直線刃の第１および第２の刃面が、１９°の角度で接合する、請求項３に記載のナイフ。
【考案の詳細な説明】
【技術分野】
【０００１】
本考案は、カンキツ類の芽接ぎに用いる芽を穂木より切り出すのに好適な芽接ぎ用ナイフに関する。
【背景技術】
【０００２】
カンキツ類を増殖するために行われる「芽接ぎ」は、熟練者でなくとも比較的活着率が高く、また越冬後春季に一斉に発芽するため揃った苗木を作成しやすく、カンキツ類の苗木育成に広く用いられている。
【０００３】
芽接ぎに用いる芽（接ぎ穂、接ぎ枝又は接ぎ芽とも呼ばれる）を穂木より切り出すための様々な方法が知られているが、中でも、ナイフを押し出すように動かして芽を切り出す「押し取り法」が最も安全性が高く一般的に用いられている方法である。「押し取り法」においては、切り出す芽の周辺よりナイフの刃を入れ、ナイフの峰部を押してナイフを押し引き、刃先全体を使って、芽を切り出す。
【０００４】
今日、様々な樹木の芽接ぎに使用するための芽接ぎ用ナイフが市販されている。例えば、折りたたみ式芽接ぎ用ナイフが知られている。これは刀身が把柄部との接合部を軸にして、刃先方向に回転・折りたたむことができ、刀身を把柄部に収納できる特徴を有する。しかしながら、カンキツ類は木部が硬く（とげの部分は特に硬い）、「押し取り法」により芽を切り出すためには、かなりの力でナイフを押し引く必要があり、折りたたみ式芽接ぎ用ナイフを用いた場合、刀身の可動方向と力を加える方向が同じであることから、不意に刀身が回転・折りたたまれ、思わぬ事故や怪我の原因となっていた。
【０００５】
また、主に落葉果樹用の芽接ぎ用ナイフが知られている（図２に示す）。これは刃渡り３ｃｍほどの刃先（図中「１０」として示す）を有する刀身が把柄部に突設固定されており、また刀身の先端部には台木剥皮用のノミ状の平刃（図中「１１」として示す）をさらに備える特徴を有する。しかしながら、カンキツ類の穂木は落葉果樹の穂木と異なり、節の部分で屈曲したものが多く、そのため穂木より芽を切り出すためには切り出す芽の付近に手を添える必要があり、当該落葉果樹用の芽接ぎ用ナイフを用いた場合、刀身の先端部にあるノミ状の平刃が添えた手に近接し、思わぬ事故や怪我の原因となっていた。また、上記の通り、「押し取り法」においては、ナイフの峰部を押してナイフを押し引き、刃先全体を使って、芽を切り出すが、３ｃｍほどの刃先では、カンキツ類の芽を切り出すには十分な長さではなく、効率的ではなかった。
【０００６】
当該分野においては、安全かつ効率的にカンキツ類の穂木より芽を切り出すことができ、かつ使い勝手の良い、芽接ぎ用ナイフが切望されていた。
【考案の概要】
【考案が解決しようとする課題】
【０００７】
本考案は、カンキツ類の穂木より芽を安全かつ効率的に切り出すことができ、かつ使い勝手の良い、カンキツ類の芽接ぎ用ナイフを提供することを目的とする。
【課題を解決するための手段】
【０００８】
上記課題を解決すべく、本考案者らは鋭意検討を重ねた結果、非折りたたみ式であって、４ｃｍ〜６ｃｍ程度の長さの両刃からなる直線刃を有し、かつ当該直線刃以外の刃先を有さないナイフが、カンキツ類の穂木より芽を安全かつ効率的に切り出すことができることを見出し、本考案を完成させるに至った。
【０００９】
すなわち、本考案に係るカンキツ類の芽接ぎ用ナイフは、把柄部に突設固定された、刀身を備え、該刀身はその長手方向に平行な直線刃を備え、該直線刃以外にさらなる刃先を有さず、該直線刃は第１および第２の刃面を有する両刃を構成し、かつ該直線刃の全長が４ｃｍ〜６ｃｍである特徴を有する。
【００１０】
本考案において、刀身は把柄部に突設固定されており、いわゆる折りたたみ式ナイフの形態を有するものではないために、カンキツ類の穂木より芽を切り出す際に、峰部に力を加えても、刀身が回転・折りたたまれることがないために、安全に作業を行うことができる。
【００１１】
本考案において、刃先は刀身の長手方向に平行な直線刃であり、このため峰部に加えた力を刃先へと効率的に伝えることができ、また刃先全体を使って押し引くことにより穂木より芽を容易に切り出すことができる。
【００１２】
本考案においては、直線刃以外に、さらなる刃先は有さない。特に、先端部に上記直線刃とは別個に、又は上記直線刃と連続してさらなる刃先（例えば、従来公知の芽接ぎ用ナイフにみられるノミ状の平刃（図２の１１））を有さない。これにより、穂木より芽を切り出す際に、切り出す芽の付近に添えた手を誤って傷つけることを防止することができる。
【００１３】
本考案において、直線刃は４ｃｍ〜６ｃｍ、より好ましい態様としては５ｃｍの長さ（刃渡り）を有し、当該直線刃の長さは、カンキツ類の芽を切り出すのに最適な長さである。直線刃の長さが短すぎると、カンキツ類の芽を切り出す際に、刃先を一又はそれ以上の回数に亘って入れなおす必要があり、効率的に作業を行うことができない。一方、直線刃の長さが長すぎると、目的の穂木とは別の枝に直線刃や刀身が当たってしまい効率的に作業を行うことができない他、切り出す芽の付近に添えた手を誤って傷つける等、思わぬ事故を生じ得る。本考案における「カンキツ類の芽を切り出すのに最適な長さ」とは、カンキツ類の芽を切り出す際に、直線刃を一又はそれ以上の回数に亘って入れなおすことなく、効率的に芽を切り出すことができると共に、目的の穂木のみに刃先をあてがうことができ、かつ切り出す芽の付近に添えた手を誤って傷つけることを防止することができる長さをいう。
【００１４】
本考案において、直線刃は第１および第２の刃面を有する両刃よりなり、これにより直線刃の刃先の強度を高め、刃こぼれを防ぐことができる。また、直線刃の刃先を両刃とすることによって、「押し取り法」だけでなく、ナイフを手前に引くように動かして芽を切り出す「引き取り法」にも利用でき、さらに、本考案の使用者が右利きであっても左利きであっても不便なく使用することができる。より好ましい態様としては、直線刃の第１および第２の刃面は、１８°〜２０°、さらに好ましくは１９°の角度で互いに接合し、一般的な両刃の切り出しナイフの刃角よりも大きな刃角を有する。これにより、使用者の手や身体の一部に、直線刃の刃先が誤って触れたとしても大きな事故や怪我を生じるのを防止することができる。
【考案の効果】
【００１５】
本考案によれば、カンキツ類の穂木より芽を安全かつ効率的に切り出すことができ、かつ使い勝手の良い、カンキツ類の芽接ぎ用ナイフを提供することができる。
【図面の簡単な説明】
【００１６】
【図１】本考案の構造を示す斜視図（ａ）及び（ａ）に示すＡ−Ａ’における断面図（ｂ）である。
【図２】従来公知の落葉果樹用の芽接ぎ用ナイフの構造を示す斜視図である。
【考案を実施するための形態】
【００１７】
以下に本考案の一実施例を図面を用いて詳細に説明する。
【００１８】
図１において符号１はナイフ本体を示している。ナイフ本体１は、把柄部６と当該把柄部６に突設固定された刀身２からなる。
【００１９】
刀身２は、ナイフの刀身の製造に一般的に用いられる金属（例えば、ステンレス鋼、炭素鋼など）やセラミック等から形成される。刀身２において、刃先部分と、他の部分は別個の素材から形成されていても良い。
【００２０】
刀身２は、その長手方向に平行な直線刃４を備える。直線刃４は第１の刃面７及び第２の刃面８を有する両刃からなる。第１の刃面７及び第２の刃面８は当該分野において一般的な手法により、刀身２の両面を研削・研磨することによって形成することができる。第１の刃面７及び第２の刃面８は１８°〜２０°、さらに好ましくは１９°の角度αで接合し、一般的な切り出しナイフの刃角よりも大きな刃角を有する。第１の刃面７及び第２の刃面８は上記角度αで接合していれば良く、刀身２の中心線９に対して対称であっても、非対称であっても良い。
【００２１】
直線刃４は長手方向に４ｃｍ〜６ｃｍ、より好ましい態様としては５ｃｍの長さ（刃渡り）を有する。直線刃４は刀身２の長手方向のほぼ全長にわたって配置される。「ほぼ全長」とは刀身２の長手方向全長の９０％以上、９５％以上、９９％以上、又はそれ以上の長さを意味する。
【００２２】
峰部３は、刀身２に指で力を直線刃４方向に加えることが可能な形状であれば良く、刀身２の長手方向に平行であっても良いし、刀身２の長手方向に湾曲した形状であっても良い。また峰部３は、刀身２の長手方向に直交する断面において直線又は湾曲した形状を有していても良い。刀身２の長手方向に直交する峰部３の長さ（すなわち、峰部３の幅）は最も広い所で１．９ｍｍ〜２．３ｍｍ、好ましくは２．０ｍｍ〜２．２ｍｍの範囲である。
【００２３】
刀身２の先端部５はカンキツ類の穂木より芽を切り出す作業を安全かつ効率的に行うことができる形状を有し、このような先端部の形状として、平滑な形状（図１に示す）であっても良いし、湾曲した形状であっても良い。刀身２には直線刃４以外に刃先を有さず、先端部５が如何なる形状であったとしても、先端部５にさらなる刃先は有さない。
【００２４】
刀身２は長手方向に、およそ４ｃｍ〜およそ６．５ｃｍの範囲、より好ましい態様としてはおよそ５ｃｍ〜およそ５．５ｃｍの範囲の長さを有する。また、刀身２の峰部３から直線刃４までの長さ（すなわち、身幅）は最も広い所で１．４ｃｍ〜１．８ｃｍ、好ましくは１．５ｃｍ〜１．６ｃｍの範囲である。
【００２５】
刀身２は把柄部６にナイフの製造に一般的に用いられる方法により、突設固定させることができ、すなわち、刀身２と一体成形されたなかご部分を把柄部６と鋲等で固定・結合させてもよいし、あるいは刀身２と把柄部６とを一体成形（射出成形など）しても良い。把柄部６はナイフの把柄部の製造に一般的に用いられる素材（例えば、木材、樹脂、金属、セラミック等）から形成される。
【００２６】
把柄部６は、カンキツ類の穂木より芽を切り出す作業を安全かつ効率的に行うことができる形状を有し、このような形状として、直線刃４と平行する柱状の形状（図１に示す）であっても良いし、湾曲した形状を有していても良い。
【符号の説明】
【００２７】
１：ナイフ本体
２：刀身
３：峰部
４：直線刃
５：先端部
６：把柄部
７：第１の刃面
８：第２の刃面
９：刀身の中心線
１０：刃先
１１：ノミ状の平刃
α：第１の刃面と第２の刃面とが接合する角度
【図１】
0003179453.tif 000003
【図２】
0003179453.tif 000004